【手続補正書】
【提出日】平成20年9月3日(2008.9.3)
【手続補正１】
【補正対象書類名】明細書
【補正対象項目名】００１０
【補正方法】変更
【補正の内容】
【００１０】
吸収式冷凍機は、大気中では、１００℃で蒸発する水が、高真空状態中では、低温（約５℃）でも蒸発する冷凍原理を利用して冷房運転を行わせるもので、前記吸収式冷凍機内を循環する吸収液を、室内側へ循環する冷水が流通する冷水管に散布蒸発させて、吸熱することにより、冷房運転を行わせている。
【手続補正２】
【補正対象書類名】明細書
【補正対象項目名】００１１
【補正方法】変更
【補正の内容】
【００１１】
前記吸収式冷凍機の構造は、図１を参照して、吸収液の能力を再生するためにバーナ１５で加熱し、吸収液の水分を蒸発させ、液濃度を高め、吸水性を上げる働きの高温再生器１と、高温再生器１で濃縮した液体の吸収液を、高温再生器１で発生分離した水蒸気で再度加熱し、さらに液濃度を高める中温再生器２と、吸収器６から高温再生器１へ送る吸収液管の途中に設けられて中温再生器２で発生した水蒸気により吸収液の予熱を行う低温再生器３と、冷媒蒸気を冷却して液化させるため、内部に冷却水を通水する凝縮器管１４を設けた凝縮器４と、内部を真空とし、負荷側への熱搬送を行う冷水を通水する冷水管１３を設け、凝縮器４で冷却された冷媒をこの冷水の通る冷水管１３に散布し蒸発させ、冷水からの吸熱を行わせて熱伝達を行い、吸収式冷凍機の出力としての冷水を発生させる蒸発器５と、蒸発器５で再度蒸発した水蒸気を高温再生器１および中温再生器２で濃縮させた吸収液に溶解させる吸収器６の主に６つの部位から構成され、この他、吸収式冷凍機の効率を上げるため、吸収器６から低温再生器３へ送られる吸収液の補助加熱を行う低温熱交換器７と、低温再生器３から高温再生器１および中温再生器２へ送られる吸収液の再加熱の補助を行う中温熱交換器８や、高温熱交換器９や、この吸収液の循環を行う吸収液ポンプ１０および１１や、冷媒ポンプ１２と、この吸収式冷凍機運転のための中央操作盤からの運転信号や、高温再生器温度センサ１６を始めとする各部温度の検知を行う温度センサからの温度データを取り込み、高温再生器１のバーナ１５の燃焼火力調節や、各ポンプや各成魚弁の開度調節の信号を演算出力している制御盤２０で構成されている。
【手続補正３】
【補正対象書類名】明細書
【補正対象項目名】００１２
【補正方法】変更
【補正の内容】
【００１２】
そして、この吸収式冷凍機本体の運転の概略を説明すると、図２に示すタイミングチャートを参照して、まず、前記中央操作盤からの運転指示信号あるいは、制御盤２０の盤面の運転スイッチにより運転が開始されると、まず、冷水ポンプの運転信号を出力して冷水の循環を開始させ、この冷水ポンプが正常に運転したことの返信として、前記冷水ポンプからインターロックがされて来る。続いて、冷却水ポンプの運転指示を出力して冷却水の循環を開始させ、この冷却水ポンプが正常に運転したことの確認として、前記冷却水ポンプからインターロック信号が送信されて来る。そして、この２つのインターロック信号を前記吸収式冷凍機が受信すると、高温再生器１内のバーナ１５が点火され、燃焼が開始されると同時に、吸収液ポンプ１０および１１と、冷媒ポンプ１２とが運転され、吸収液の循環を開始し、運転状態とし、次に、冷却塔送風機へ運転指示を出力して運転させ、この冷却塔送風機が正常に運転したことの確認として、前記冷却塔送風機からインターロック信号が送信され、この信号を前記吸収式冷凍機が受信する。この吸収式冷凍機の運転中は、予め設定された冷水設定温度と、冷水温度センサ１７で検出された冷水温度との温度差により、バーナ１５の燃焼量および吸収液ポンプ１０での吸収液循環量が調節され、蒸発器５に貯留されている冷媒の量を検出している液面センサ１８により、冷媒ポンプ１２の運転が行われ、冷却水温度センサ１９で検出された冷却水温度により、冷却塔送風機の運転が行われる。そして、停止信号が入力されると、まず、バーナ１５の燃焼量を絞ってから停止させ、次に、冷媒ポンプ１２と、冷却水ポンプを停止させ、最後に、冷水ポンプと、吸収液ポンプ１０および１１とを停止させて、運転終了となる。
【手続補正４】
【補正対象書類名】明細書
【補正対象項目名】００２４
【補正方法】変更
【補正の内容】
【００２４】
次に、本吸収式システムが運転中か否かの判断を行い（Ｓ５）、運転中であれば、停止信号の有無を確認し（Ｓ６）、停止信号があれば、停止処理を行って（Ｓ７）、ステップＳ２へ戻り、停止信号が無ければ、空調負荷の増減に応じた台数制御を行い（Ｓ２０）、後述するステップＳ１９へ進む。
【手続補正５】
【補正対象書類名】明細書
【補正対象項目名】００２５
【補正方法】変更
【補正の内容】
【００２５】
次に、ステップＳ５で、本吸収式システムが運転中で無ければ、運転信号の有無の確認を行い（Ｓ８）、運転信号が無ければ、ステップＳ２に戻り、運転信号があれば、ステップＳ４で算出した空調負荷ａをメモリｇへ保存し（Ｓ９）、運転指示能力ｅ（１）へ１号機（ここでは、吸収式冷凍機２１Ａ）の部分負荷運転時の上限の運転能力ｂ（１）をセットし（Ｓ１０）、メモリｇより、この運転指示能力ｅ（ｉ）を減算して、減算値ｃを求め（Ｓ１１）、この減算値ｃが０（ゼロ)より大きい値か否かを判断し(Ｓ１２）、減算値ｃが０（ゼロ）より大きい値であれば、減算値ｃをメモリｄに保存して（Ｓ１３）、メモリｇの値を減算値ｃの値に置き換え（Ｓ１４）、運転指示能力ｅ（ｉ）へ２号機（ここでは、吸収式冷凍機２１Ｂ）の部分負荷運転時の上限の運転能力ｂ（２）をセットし（Ｓ１５）、ステップ１０へ戻り、再度計算を行う。つまり、上記ステップＳ１で求めた各吸収式冷凍機の部分負荷運転の上限の運転能力を、１号機から順に空調負荷ａより減算することにより、１号機から順に、空調負荷ａに対応した運転能力を振り分け、減算値ｃが０（ゼ
ロ）あるいは、マイナスの値になることにより、前記空調負荷ａに対応した運転能力の振り分けが完了したことを判断している。
【手続補正６】
【補正対象書類名】明細書
【補正対象項目名】００２６
【補正方法】変更
【補正の内容】
【００２６】
ステップＳ１２で、減算値ｃが、０（ゼロ）あるいは、マイナスの値であると判断されると、減算値ｃが０（ゼロ）であるか否かを判断し（Ｓ１６）、減算値ｃが０（ゼロ）であれば、ステップＳ１８へ進み、減算値ｃがマイナスの値であれば、ステップＳ１１で最後に減算を行う前の値であるメモリｄの値を運転指示能力ｅ（ｉ）へセットし（Ｓ１７）、この運転指示能力ｅ（ｉ）と、運転開始の指示が、各吸収式冷凍機２１Ａ〜２１Ｃへ送信して運転を開始し（Ｓ１８）、ステップＳ４で算出した空調負荷ａをメモリｆへ保存して（Ｓ１９）、ステップＳ２へ戻り、このフローチャートを繰り返す。
【手続補正７】
【補正対象書類名】明細書
【補正対象項目名】００２７
【補正方法】変更
【補正の内容】
【００２７】
ここで、本実施形態では、空調負荷ａからの各吸収式冷凍機への運転能力の振り分けとして、１号機（吸収式冷凍機２１Ａ）から順に行う様に説明しているが、これは、説明の明瞭化のためであり、実際、運転のローテーション制御や、運転時間の平準化を行う制御のため、２号機あるいは、３号機からの運転能力の振り分けとなる可能性があり、特に１号機から順番に、とする必要は無い。
【手続補正８】
【補正対象書類名】明細書
【補正対象項目名】００２８
【補正方法】変更
【補正の内容】
【００２８】
次に、ステップＳ２０の台数制御について、図６を参照して説明すると、まず、前記メモリｆに保存した前回算出した空調負荷と、今回算出した空調負荷ａとの差ｈを求めて（Ｓ３０）、この差ｈが、増加なのか否かを判断し（Ｓ３１）、増加でなけれ、減少なのか否かを判断し（Ｓ３２）、減少でもなければ、この台数制御のシーケンスを終了してステップＳ１９へ進む。
【手続補正９】
【補正対象書類名】明細書
【補正対象項目名】００２９
【補正方法】変更
【補正の内容】
【００２９】
もし、ステップＳ３０で算出した空調負荷の差ｈが、０（ゼロ）より大きく、空調負荷が増加したと判断すると、現在運転中の吸収式冷凍機の中で、部分負荷運転の上限の運転能力以下で運転しているものが存在するか否かを判断し（Ｓ３３）、存在していれば、その部分負荷運転の上限の運転能力以下で運転している吸収式冷凍機を選択して（Ｓ３４）、ステップＳ３６へ進み、存在していなければ、運転中の吸収式冷凍機は、全て部分負荷運転の上限の運転能力で運転しているとの判断をして、いずれかの停止中の吸収式冷凍機を選択する（Ｓ３５）。
【手続補正１０】
【補正対象書類名】明細書
【補正対象項目名】００３０
【補正方法】変更
【補正の内容】
【００３０】
次に、この選択した吸収式冷凍機が、前記空調負荷の差ｈに相当する運転能力の余裕を持っているか否かを判断し（Ｓ３６）、余裕を持っていれば、前記空調負荷の差ｈに相当する運転能力を、この選択した吸収式冷凍機の運転能力を増加させ（Ｓ３７）、ステップＳ１９へ進み、余裕を持っていなければ、選択した吸収式冷凍機の運転能力を部分負荷運転の上限の運転能力まで増加させるとともに、いずれかの停止中の吸収式冷凍機へ前記空調負荷の差ｈに対する不足分の運転能力を指示して運転を開始させて（Ｓ３８）、ステップＳ１９へ進む。
【手続補正１１】
【補正対象書類名】明細書
【補正対象項目名】００３１
【補正方法】変更
【補正の内容】
【００３１】
また、上述のステップＳ３２で、空調負荷の差ｈが、マイナスの値であれば、現在運転中の吸収式冷凍機の中で、部分負荷運転の上限の運転能力以下で運転しているものが存在するか否かを判断し（Ｓ３９）、存在していれば、その部分負荷運転の上限の運転能力以下で運転している吸収式冷凍機を選択して（Ｓ４０）、ステップＳ４２へ進み、存在していなければ、部分負荷運転の上限で運転しているいずれかの吸収式冷凍機を選択して（Ｓ４１）、ステップＳ４２へ進む。
【手続補正１２】
【補正対象書類名】明細書
【補正対象項目名】００３２
【補正方法】変更
【補正の内容】
【００３２】
次に、この選択した吸収式冷凍機が、現在、前記空調負荷の差ｈ以上に相当する運転能力で運転しているか否かを判断し（Ｓ４２）、前記空調負荷の差ｈ以上で無いと判断すると、前記選択した吸収式冷凍機を停止させるとともに、部分負荷運転の上限の運転能力で運転しているいずれかの吸収式冷凍機の運転能力を減少させ（Ｓ４３）、前記選択した吸収式冷凍機が、前記空調負荷の差ｈ以上で運転していると判断すると、前記選択した吸収式冷凍機の運転能力を減少させて（Ｓ４４）、ステップＳ１９へ進む。